(57)【特許請求の範囲】
【請求項１】
レンズを保持しフォロア部を備えるレンズ保持部と、
前記レンズ保持部の相対的な回転を規制し、かつ外側にバヨネット凸部を有する直進規制筒と、
内周部に前記フォロア部が係合するカム溝と前記バヨネット凸部が係合するバヨネット溝とを有するカム筒とを備え、
前記カム筒は、前記レンズ保持部及び前記直線規制筒に対して相対的に回転しながら光軸方向に移動し、
前記レンズ保持部は、前記カム筒の回転により、前記フォロワ部が前記カム溝に追従しながら前記カム筒に対して相対的に光軸方向へ移動し、
前記直進規制筒は、前記カム筒の回転により、前記バヨネット凸部が前記バヨネット溝に追従しながら前記カム筒と共に光軸方向に移動し、
前記カム筒に対する前記直進規制筒の光軸方向の第２の相対位置以外の第１の相対位置を含む範囲では、前記バヨネット凸部が前記バヨネット溝の幅方向の両側壁面に当接することにより、前記カム筒と前記直進規制筒との光軸方向の相対的な位置を規制し、
前記カム筒に対する前記直進規制筒の光軸方向の前記第２の相対位置では、前記バヨネット溝に前記カム溝が進入して前記バヨネット凸部が当接するための前記バヨネット溝の幅方向の被写体側の側壁面が開放されており、前記バヨネット凸部と前記直進規制筒側に設けた部材とによって前記バヨネット溝の像面側の側壁面と前記カム筒の像面側の端面との間の部分を光軸方向に挟むことにより、前記カム筒と前記直進規制筒との光軸方向の相対的な位置を規制することを特徴とするレンズ鏡筒。
【請求項２】
前記直進規制筒側に設けた部材は、直進リブであることを特徴とする請求項１に記載のレンズ鏡筒。
【請求項３】
前記カム筒は、像面側の端部から光軸方向に沿って延び、前記直進リブに対して周方向にカム係合するカム片を有し、
前記カム片は、裏面側に前記カム溝が延長して設けられ、前記直進規制筒が前記カム筒に対して光軸方向に相対的に移動する際に、前記直進リブが乗り上げる位置に配置されることを特徴とする請求項２に記載のレンズ鏡筒。
【請求項４】
前記第１の相対位置は、広角位置であり、前記第２の相対位置は、望遠位置であることを特徴とする請求項１乃至３のいずれか１項に記載のレンズ鏡筒。
【請求項５】
前記カム筒と前記直進規制筒とは、収納位置では、円筒部分が重複し、前記広角位置では、円筒部分が光軸方向に離間し、前記望遠位置では、円筒部分が重複されることを特徴とする請求項４に記載のレンズ鏡筒。
【請求項６】
撮影位置と収納位置との間を光軸方向に移動して撮影倍率を変更するズーム駆動機構を備えるレンズ鏡筒を有する撮像装置であって、
前記レンズ鏡筒は、請求項１乃至５のいずれか１項に記載のレンズ鏡筒であることを特徴とする撮像装置。
【発明の詳細な説明】
【技術分野】
【０００１】
本発明は、例えばフィルムカメラやデジタルカメラ等の撮像装置に設けられるレンズ鏡筒及び該レンズ鏡筒を備える撮像装置に関する。
【背景技術】
【０００２】
従来のレンズ鏡筒として、複数のレンズをそれぞれ保持する複数のレンズ保持枠をカム筒の回転により光軸方向に移動させつつ、直進筒によりレンズ保持枠の回転方向の移動を規制してレンズを所定の位置に移動させるズーム機構を備えるものがある。
【０００３】
ところで、近年の撮影倍率の高倍率化の要請に伴ってレンズの数が増加したり、繰出し全長が長くなったりしてレンズ鏡筒が大型化する傾向にある。一方、カメラの薄型化の要求もあり、レンズ鏡筒の収納時のカメラの厚さを極力薄くすることが求められている。
【０００４】
カメラの薄型化のためには光軸方向の寸法を短くした鏡筒を多段構成でつなげることが考えられるが、鏡筒に複数のカム溝を交差することなく配置するにはスペース的に多くの制約がある。
【０００５】
一方、カム筒の内周部には、通常、直進筒に設けたバヨネット凸部が追従するバヨネット溝が形成され、バヨネット凸部がバヨネット溝に嵌合されて該バヨネット溝の幅方向の両側壁面に当接することで、カム筒と直進筒との光軸方向の相対的な位置規制がなされる。
【０００６】
しかし、カム筒の内周部には、複数のレンズ保持枠のフォロアが追従する複数のカム溝が配置されるため、バヨネット溝の配置スペースについても制約が生じることになる。
【０００７】
そこで、カム筒の内周部に形成した複数のカム溝と交差するようにバヨネット溝を周方向に沿って配置したレンズ鏡筒が提案されている（特許文献１）。
【先行技術文献】
【特許文献】
【０００８】
【特許文献１】特開２００７−０９３９９９号公報
【発明の概要】
【発明が解決しようとする課題】
【０００９】
しかし、上記特許文献１では、バヨネット凸部がカム溝を通過する際に該バヨネット凸部がカム溝を跨ぐように、バヨネット溝をすべてのカム溝に対して交差させて配置しなければならない。このようにバヨネット溝を配置しないと、バヨネット凸部がカム溝を通過する際にバヨネット溝から外れてしまい、カム筒と直進筒との光軸方向の相対的な位置規制ができなくなる。このため、カム筒の内周部において、カム溝やバヨネット溝を配置する部位を選択する際の自由度が低下して、様々なレンズ群の動作に対応することが難しくなる。
【００１０】
そこで、本発明は、レンズ鏡筒のカム筒の内周部においてカム溝やバヨネット溝を配置する部位を選択する際の自由度を高めて、様々なレンズ群の動作に対応することができるレンズ鏡筒及び該レンズ鏡筒を備える撮像装置を提供することを目的とする。
【課題を解決するための手段】
【００１１】
上記目的を達成するために、本発明のレンズ鏡筒は、レンズを保持しフォロア部を備えるレンズ保持部と、前記レンズ保持部の相対的な回転を規制し、かつ外側にバヨネット凸部を有する直進規制筒と、内周部に前記フォロア部が係合するカム溝と前記バヨネット凸部が係合するバヨネット溝とを有するカム筒とを備え、前記カム筒は、前記レンズ保持部及び前記直線規制筒に対して相対的に回転しながら光軸方向に移動し、前記レンズ保持部は、前記カム筒の回転により、前記フォロワ部が前記カム溝に追従しながら前記カム筒に対して相対的に光軸方向へ移動し、前記直進規制筒は、前記カム筒の回転により、前記バヨネット凸部が前記バヨネット溝に追従しながら前記カム筒と共に光軸方向に移動し、前記カム筒に対する前記直進規制筒の光軸方向の第２の相対位置以外の第１の相対位置を含む範囲では、前記バヨネット凸部が前記バヨネット溝の幅方向の両側壁面に当接することにより、前記カム筒と前記直進規制筒との光軸方向の相対的な位置を規制し、前記カム筒に対する前記直進規制筒の光軸方向の前記第２の相対位置では、前記バヨネット溝に前記カム溝が進入して前記バヨネット凸部が当接するための前記バヨネット溝の幅方向の被写体側の側壁面が開放されており、前記バヨネット凸部と前記直進規制筒側に設けた部材とによって前記バヨネット溝の像面側の側壁面と前記カム筒の像面側の端面との間の部分を光軸方向に挟むことにより、前記カム筒と前記直進規制筒との光軸方向の相対的な位置を規制することを特徴とする。
【発明の効果】
【００１２】
本発明によれば、レンズ鏡筒のカム筒の内周部においてカム溝やバヨネット溝を配置する部位を選択する際の自由度を高めることができるので、様々なレンズ群の動作に対応することができる。
【図面の簡単な説明】
【００１３】
【図１】本発明のレンズ鏡筒を備える撮像装置の実施形態の一例であるデジタルカメラを正面側から見た外観斜視図である。
【図２】図１に示すデジタルカメラの電源をＯＮした状態での外観斜視図である。
【図３】図１の背面図である。
【図４】図１の底面図である。
【図５】デジタルカメラの制御ブロック図である。
【図６】レンズ鏡筒のＷＩＤＥ位置での状態を示す断面図である。
【図７】レンズ鏡筒のＴＥＬＥ位置での状態を示す断面図である。
【図８】カム筒と直進筒の分解斜視図である。
【図９】レンズ鏡筒の収納位置でのカム筒と直進筒との位置関係を示す図であり、（ａ）は光軸方向から見た図、（ｂ）は（ａ）の側面図である。
【図１０】はレンズ鏡筒のＷＩＤＥ位置でのカム筒と直進筒との位置関係を示す図であり、（ａ）は光軸方向から見た図、（ｂ）は（ａ）の側面図である。
【図１１】レンズ鏡筒のＴＥＬＥ位置でのカム筒と直進筒との位置関係を示す図であり、（ａ）は光軸方向から見た図、（ｂ）は（ａ）の側面図である。
【図１２】カム筒の内周側の展開図である。
【発明を実施するための形態】
【００１４】
以下、本発明の実施形態の一例を図面を参照して説明する。
【００１５】
図１は本発明のレンズ鏡筒を備える撮像装置の実施形態の一例であるデジタルカメラを正面側から見た外観斜視図、図２は図１のデジタルカメラの電源をＯＮした状態での外観斜視図、図３は図１の背面図、図４は図１の底面図である。
【００１６】
図１及び図２に示すように、本実施形態のデジタルカメラ１８は、撮影位置と収納位置との間を光軸方向に移動して撮影倍率を変更するズーム機構を備える。デジタルカメラ１８の正面には、被写体の構図を決めるファインダ１６、測光測距を行う場合の補助光源１５、ストロボ１７、及びレンズ鏡筒１９が配置されている。デジタルカメラ１８の上面には、レリーズボタン１２、電源切換えボタン１４、及びズーム切換えスイッチ１３が配置されている。
【００１７】
また、デジタルカメラ１８の背面には、図３に示すように、操作ボタン２２〜２７、ＬＣＤ等のディスプレイ２１、及びファインダ接眼部２０が配置されている。更に、デジタルカメラ１８の底面には、図４に示すように、三脚取付部２８、メモリカードドライブ４２（図５参照）及びバッテリー挿入部（不図示）のカバー２９が配置されている。
【００１８】
図５は、本実施形態のデジタルカメラ１８の制御ブロック図である。
【００１９】
バス４４には、ＣＰＵ４６、ＲＯＭ４５、ＲＡＭ４７、レリーズボタン１２、操作ボタン２２〜２７、ディスプレイ２１、電源切換えボタン１４、ズームスイッチ１３、メモリ４０、圧縮伸張部４１、メモリカードドライブ４２及び駆動回路４３が接続される。
【００２０】
駆動回路４３には、レンズ鏡筒１９をズーム駆動するズーム機構３０、フォーカスレンズ７を駆動するフォーカス駆動機構３１、シャッタ３５を駆動するシャッタ駆動機構３２、絞り３６を駆動する絞り駆動機構３４が接続される。
【００２１】
また、駆動回路４３には、ＣＣＤセンサやＣＭＯＳセンサ等の撮像素子８及びストロボ１７が接続される。駆動回路４３に接続された各ユニットは、ＣＰＵ４６からの信号に基づいて該駆動回路４３を介して駆動が制御される。
【００２２】
ＲＯＭ４５には、各種制御プログラム等が記憶され、ＲＡＭ４７には、各種制御プログラムに必要なデータが記憶されている。アナログ信号処理部３７は、撮像素子８から出力された画像データにアナログ処理を施し、Ａ／Ｄ変換部３８に出力する。
【００２３】
Ａ／Ｄ変換部３８は、撮像素子８から取り込んだアナログデータをデジタルデータに変換して、デジタル信号処理部３９に出力する。デジタル信号処理部３９は、Ａ／Ｄ変換部３８で変換されたデジタルデータに対して所定の処理を行い、画像データとしてメモリ４０に出力する。
【００２４】
メモリ４０に記憶された画像データは、操作ボタン２３の操作によって圧縮伸張部４１によりＪＰＥＧやＴＩＦＦ等の圧縮処理等が施された後、メモリカードドライブ４２に装着されたメモリカードに出力されて記憶される。
【００２５】
また、メモリ４０に記憶された画像データやメモリカードに記憶された画像データを圧縮伸張部４１によって伸張処理を行い、その後、バス４４を介してディスプレイ２１に表示させることができる。ディスプレイ２１に表示された画像をユーザが見て不要と判断した場合は、操作ボタン２４の操作によって消去することができる。
【００２６】
次に、図６〜図１２を参照して、レンズ鏡筒１９について説明する。
【００２７】
図６はレンズ鏡筒１９のＷＩＤＥ位置（広角位置）での状態を示す断面図、図７はレンズ鏡筒１９のＴＥＬＥ位置（望遠位置）での状態を示す断面図である。
【００２８】
図６及び図７に示すように、レンズ鏡筒１９は、第一レンズ１が第一レンズ保持枠３に保持され、第一レンズ１の像面側（撮像素子８側）に配置される第二レンズ２が第二レンズ保持枠４に保持されている。
【００２９】
第一レンズ保持枠３及び第二レンズ保持枠４は、カム筒５の内周部に設けられたカム溝５ｃ（図１２参照）に追従するフォロアピン（不図示）を有する。このフォロアピンは、本発明のフォロア部の一例に相当する。また、第一レンズ保持枠３及び第二レンズ保持枠４は、カム筒５の内周側に配置された直進筒６により回転方向の移動が規制された状態で光軸方向に直進移動可能に保持される。直進筒６は、本発明の直進規制部の一例として設けられた部材である。ここで、第一レンズ保持枠３及び第二レンズ保持枠４は、本発明のレンズ保持部の一例に相当する。
【００３０】
カム筒５は、固定筒９の内周部に設けられたカム溝９ａに追従するフォロアピン５ｄ（図８参照）を有し、ズーム機構３０から動力が伝達されることで、回転しながら光軸方向に移動する。直進筒６は、固定筒９の内周部に設けられた直進溝９ｂに係合する直進キー６ｃを有し、直進キー６ｃが直進溝９ｂに案内されることで、回転が規制された状態に光軸方向に直進移動する。
【００３１】
第二レンズ保持枠４と撮像素子８との間には、第三レンズ７を保持する第三レンズ保持枠１０が配置されており、撮像素子８は、固定筒９に固定された撮像素子保持枠１１に保持されている。なお、第三レンズ７は、本実施形態では、フォーカスレンズとされている。
【００３２】
そして、カム筒５がズーム機構３０によって回転させられることにより、カム筒５が光軸方向に繰出すと共に、第一レンズ保持枠３及び第二レンズ保持枠４も光軸方向に繰出す。このとき、直進筒６は、カム筒５とバヨネット結合されて、カム筒５と略一体となって光軸方向に直進移動する。
【００３３】
ここで、本実施形態では、図８に示すように、カム筒５の像面側の端部には、光軸方向に沿って像面側に延伸するカム片５ａが周方向に略等間隔で複数箇所（図では３箇所）設けられている。なお、直進筒６の像面側の端部外側には、直進リブ６ａが周方向に略等間隔で複数箇所（図では３箇所）設けられており、直進リブ６ａとカム片５ａとは、互いに係合はしない。直進リブ６ａは、本発明の直進規制部側に設けた部材の一例に相当する。
【００３４】
そして、本実施形態では、後述するカム筒５と直進筒６とのバヨネット結合構造により、カム筒５が直進筒６に対して光軸方向に相対的に接近離間移動する。なお、直進リブ６ａにカム片５ａが周方向にカム係合するようにして、このカム係合により、カム筒５が直進筒６に対して光軸方向に相対的に接近離間移動するようにしてもよい。
【００３５】
また、レンズ鏡筒１９の収納位置（不図示）では、カム筒５と直進筒６とは互いに接近配置され、レンズ鏡筒１９のＷＩＤＥ位置（図６）では、カム筒５と直進筒６とは互いに離間配置される。また、レンズ鏡筒１９のＴＥＬＥ位置（図７）では、カム筒５と直進筒６とは互いに接近配置される。
【００３６】
図９〜図１１を参照して、具体的に説明する。図９はレンズ鏡筒１９の収納位置でのカム筒５と直進筒６との位置関係を示す図であり、（ａ）は光軸方向から見た図、（ｂ）は（ａ）の側面図である。
【００３７】
図９に示すように、レンズ鏡筒１９の収納位置では、カム筒５と直進筒６とが光軸方向に互いに接近して配置され、カム筒５のカム片５ａと直進筒６の直進リブ６ａとは周方向に対向して配置される。これにより、収納位置でのレンズ鏡筒１９の光軸方向の長さを短くしてカメラの薄型化を図ることができる。
【００３８】
図１０はレンズ鏡筒１９のＷＩＤＥ位置（図６）でのカム筒５と直進筒６との位置関係を示す図であり、（ａ）は光軸方向から見た図、（ｂ）は（ａ）の側面図である。
【００３９】
図１０に示すように、レンズ鏡筒１９のＷＩＤＥ位置では、カム筒５のカム片５ａに直進筒６の直進リブ６ａが乗り上げた状態となる。これにより、直進筒６がカム筒５に対して像面側に相対的に移動し、カム筒５と直進筒６とが光軸方向に互いに離間配置される。
【００４０】
図１１はレンズ鏡筒１９のＴＥＬＥ位置（図７）でのカム筒５と直進筒６との位置関係を示す図であり、（ａ）は光軸方向から見た図、（ｂ）は（ａ）の側面図である。
【００４１】
図１１に示すように、レンズ鏡筒１９のＴＥＬＥ位置では、カム筒５のカム片５ａが直進筒６の直進リブ６ａを乗り越えて、カム筒５のカム片５ａと直進筒６の直進リブ６ａとが周方向に対向して配置される。これにより、カム筒５と直進筒６とが光軸方向に互いに接近して配置される。
【００４２】
なお、レンズ鏡筒１９のＴＥＬＥ位置では、一般的に、第一レンズ保持枠３が最も被写体側に繰出すことが多い。その場合、直進筒６がカム筒５に対して被写体側に移動して接近配置されることで、直進筒６による第一レンズ保持枠３の回転規制を精度良く行うことができる。また、レンズ鏡筒１９のＴＥＬＥ位置では、第一レンズ１と第二レンズ２は相対的に接近した状態になり、カム筒５に対して最も被写体側に繰出した状態になる。
【００４３】
図８に戻って、直進筒６には、バヨネット凸部６ｂが周方向に略等間隔で複数箇所（図では３箇所）設けられており、バヨネット凸部６ｂの周方向の両側には、それぞれヘリコイド部６Ａ及びヘリコイド部６Ｂが配置されている。
【００４４】
図１２は、カム筒５の内周側の展開図である。図１２に示すように、カム筒５の像面側の端部内周部には、カム筒５の回転時にバヨネット凸部６ｂが追従する周溝５ｂが周方向に延びて形成されている。周溝５ｂの途中には、カム筒５の回転時にバヨネット凸部６ｂが追従するヘリコイド溝５Ａ，５Ｂが形成されている。
【００４５】
ヘリコイド溝５Ａは、バヨネット凸部６ｂのヘリコイド部６Ａに対応する形状を有して、周溝５ｂから被写体側に離れる方向に斜めに延設されている。一方、ヘリコイド溝５Ｂは、バヨネット凸部６ｂのヘリコイド部６Ｂに対応する形状を有して、周溝５ｂから被写体側に離れる方向で、かつヘリコイド溝５Ａから離れる方向に斜めに延設されている。つまり、ヘリコイド溝５Ａ，５Ｂは、周溝５ｂを中心に互いに対称配置され、かつ被写体側に向けて互いに離れるように斜めに配置される。
【００４６】
また、ヘリコイド溝５Ｂの周溝５ｂから最も離れた端部は、ヘリコイド溝５Ｂに対するバヨネット凸部６ｂの追従始端とされ、ヘリコイド溝５Ａの周溝５ｂから最も離れた端部は、ヘリコイド溝５Ａに対するバヨネット凸部６ｂの追従終端とされている。
【００４７】
更に、本実施形態では、周溝５ｂ及びヘリコイド溝５Ａ，５Ｂは、カム筒５の内周部の周方向に略等間隔で３組配置されている。そして、ヘリコイド溝５Ａのバヨネット凸部６ｂの追従終端と周方向に隣接する組のヘリコイド溝５Ｂのバヨネット凸部６ｂの追従始端とは、周溝５ｂと平行な軌跡の周溝５ｅにより接続される。ここで、周溝５ｂ，５ｅ及びヘリコイド溝５Ａ，５Ｂは、本発明のバヨネット溝の一例に相当する。
【００４８】
そして、レンズ鏡筒１９の収納位置では、バヨネット凸部６ｂがヘリコイド溝５Ｂの追従始端に配置されて、カム筒５と直進筒６とがバヨネット結合される。このとき、カム筒５と直進筒６とは、図９で説明したように、光軸方向に互いに接近して配置され、カム筒５のカム片５ａと直進筒６の直進リブ６ａとは周方向に対向して配置される。
【００４９】
次に、カム筒５が直進筒６に対して相対的に回転するにしたがって、バヨネット凸部６ｂがヘリコイド溝５Ｂに沿って追従し、周溝５ｂに達する。このとき、レンズ鏡筒１９は、ＷＩＤＥ位置に配置され、図１０で説明したように、直進筒６がカム筒５に対して像面側に移動し、カム筒５と直進筒６とが光軸方向に互いに離間配置される。
【００５０】
なお、レンズ鏡筒１９のＷＩＤＥ位置では、第一レンズ１と第二レンズ２とは光軸方向に相対的に最も離れた状態になり、第二レンズ保持枠４がカム筒５に対して最も光軸方向像面側に配置される。
【００５１】
ここで、本実施形態では、レンズ鏡筒１９のＷＩＤＥ位置で第二レンズ保持枠４のフォロアピンが追従するカム筒５のカム溝５ｃをカム片５ａの内周部（裏面側）に延長して設けている。これにより、第一レンズ１と第二レンズ２との光軸方向のストロークを図９のＹ−Ｘの分だけ長くすることができ、結果としてカメラの撮影倍率の高倍率化を実現することができる。
【００５２】
そして、カム筒５が直進筒６に対して相対的に回転すると、バヨネット凸部６ｂは、周溝５ｂからヘリコイド溝５Ａに進入して該ヘリコイド溝５Ａに沿って追従し、ヘリコイド溝５Ａの追従終端を通過してカム溝５ｃに進入し、周溝５ｅに達する。このとき、レンズ鏡筒１９は、ＴＥＬＥ位置に配置され、図１１で説明したように、カム筒５のカム片５ａが直進筒６の直進リブ６ａを乗り越えて、カム片５ａと直進リブ６ａとが周方向に対向配置され、カム筒５と直進筒６とが光軸方向に互いに接近配置される。なお、レンズ鏡筒１９のＴＥＬＥ位置から収納位置までの動作は、上記と逆の動作となる。
【００５３】
ところで、レンズ鏡筒１９のＷＩＤＥ位置では、直進筒６のバヨネット凸部６ｂは、カム筒５の周溝５ｂに嵌合されている。即ち、図１２に示す幅αの周溝５ｂに図６に示す幅Ａのバヨネット凸部６ｂが嵌合されて、バヨネット凸部６ｂが周溝５ｂの幅方向（光軸方向）の両側壁面に当接することで、カム筒５と直進筒６との光軸方向の相対的な位置規制がなされる。ここで、ＷＩＤＥ位置は、本発明の第１の相対位置の一例に相当する。
【００５４】
また、レンズ鏡筒１９の収納位置では、直進筒６のバヨネット凸部６ｂは、カム筒５のヘリコイド溝５Ｂに嵌合されることで、カム筒５と直進筒６との光軸方向の相対的な位置規制がなされる。
【００５５】
一方、レンズ鏡筒１９のＴＥＬＥ位置では、バヨネット凸部６ｂは、カム溝５ｃ内に配置されたカム溝５ｃまで延びた周溝５ｅの像面側の側壁面に対して光軸方向に当接する。即ち、カム溝５ｃ内においては、周溝５ｅの側壁は、像面側の側壁面のみとなり、被写体側は開放されている。従って、レンズ鏡筒１９のＴＥＬＥ位置においては、周溝５ｂと異なり、周溝５ｅだけでは、カム筒５と直進筒６との光軸方向の相対的な位置規制を行うことができない。
【００５６】
そこで、本実施形態では、レンズ鏡筒１９のＴＥＬＥ位置においては、直進筒６のバヨネット凸部６ｂをカム筒５の周溝５ｅの像面側の側壁面に当接させるとともに、直進筒６の直進リブ６ａをカム筒５の像面側の端面に当接させている。
【００５７】
これにより、カム筒５の周溝５ｅの像面側の側壁面とカム筒５の像面側の端面との間の幅β（図１２）の部分が、直進筒６のバヨネット凸部６ｂと直進リブ６ａとの間に光軸方向に挟まれた状態（図７の幅Ｂ参照）となる。これにより、レンズ鏡筒１９のＴＥＬＥ位置におけるカム筒５と直進筒６との光軸方向の相対的な位置規制がなされる。ここで、ＴＥＬＥ位置は、本発明の第２の相対位置の一例に相当し、直進リブ６ａは、本発明の直進筒側に設けた部材の一例に相当する。
【００５８】
以上説明したように、本実施形態では、レンズ鏡筒１９のＴＥＬＥ位置では、カム筒５の像面側の端部内周部をバヨネット凸部６ｂと直進リブ６ａとにより光軸方向に挟むことで、カム筒５と直進筒６との光軸方向の位置規制がなされる。これにより、少なくともレンズ鏡筒１９のＴＥＬＥ位置での周溝５ｅについては、被写体側の側壁面を開放することができ、従来のように、バヨネット凸部６ｂがカム溝５ｃを跨ぐように、バヨネット溝をカム溝５ｃに対して交差させて配置する必要がなくなる。この結果、レンズ鏡筒１９のカム筒の内周部において、カム溝５ｃやバヨネット溝５ｂ，５ｅ，５Ａ，５Ｂを配置する部位を選択する際の自由度を高めることができ、様々なレンズ群の動作に対応することができる。
【００５９】
なお、本発明の構成は、上記実施形態に例示したものに限定されるものではなく、材質、形状、寸法、形態、数、配置箇所等は、本発明の要旨を逸脱しない範囲において適宜変更可能である。
【符号の説明】
【００６０】
３    第一レンズ保持枠
４    第二レンズ保持枠
５    カム筒
５ｂ，５ｅ  周溝
５Ａ，５Ｂ  ヘリコイド溝
６    直進筒
６ａ  直進リブ
６ｂ  バヨネット凸部
１９  レンズ鏡筒
【図１】
0005566164.tif 000002
【図２】
0005566164.tif 000003
【図３】
0005566164.tif 000004
【図４】
0005566164.tif 000005
【図５】
0005566164.tif 000006
【図６】
0005566164.tif 000007
【図７】
0005566164.tif 000008
【図８】
0005566164.tif 000009
【図９】
0005566164.tif 000010
【図１０】
0005566164.tif 000011
【図１１】
0005566164.tif 000012
【図１２】
0005566164.tif 000013